(57)【特許請求の範囲】
【請求項１】
建物に設けた支持部材に複数の外装材を四辺合決りで接続して敷設する建物の外装材の取付構造であって、前記外装材をこの外装材同士が横方向に突き合わされた位置で支持部材に固定する取付金具が外装材と支持部材との間に設けられ、前記取付金具と支持部材との間に水切り部材が配設され、前記水切り部材には、外装材の横方向の突き合わせ位置の両側に配置される水切り手段が設けられ、前記取付金具及び前記水切り部材を貫通すると共に前記支持部材に打入される固着具にて、前記取付金具及び前記水切り部材が前記支持部材に固定され、前記水切り部材に、前記固着具の配置位置の上方で前記取付金具側へ向けて突出するガイドリブが形成されていることを特徴とする外装材の取付構造。
【請求項２】
上記水切り部材に、両側の水切り手段の間で取付金具側へ向けて突出する上下方向の水切りリブが形成されていることを特徴とする請求項１に記載の外装材の取付構造。
【発明の詳細な説明】
【技術分野】
【０００１】
本発明は、壁パネルなどの外装材を建物に取り付ける外装材の取付構造に関するものである。
【背景技術】
【０００２】
従来、建物に設けた支持部材１に複数の外装材２を敷設するにあたり、図５に示すような外装材２を用い、四辺合決りで接続して敷設する外装材の取付構造が提案されている。図５に示す外装材２では、外装材２の上端と一方の側端には実部８が突設されていると共に外装材２の下端と他方の側端には覆い部９が突設されている。上下左右に隣り合う外装材２同士は、前記実部８と覆い部９とが凹凸嵌合して突き合わされる。また、外装材２の下部には覆い部９の後側において溝部１０が横方向の全長に亘って設けられている。
【０００３】
かかる構造では、横方向の突き合わせ部分に、シーリング材を配置するにあたって、外装材２の外面にシーリング材が露出しないようにすることができ、建物の外観が向上する（特許文献１参照）。
【０００４】
図８乃至１０はこのような外装材２の従来の取付構造の一例を示すものである。
【０００５】
図示の例では、建物躯体１１（例えば柱等の軸組）に、上下方向に長い複数の支持部材１を横方向に並べて敷設している。建物躯体１１の外面側には防水シート１２が配置され、建物躯体１１と支持部材１との間に防水シート１２が介在する。
【０００６】
この支持部材１の外側に外装材２を敷設している。このとき、外装材２の横方向の突き合わせ部分を支持部材１の外面側に配置し、この突き合わせ部分にて外装材２を、取付金具３により支持部材１に取り付けている。
【０００７】
取付金具３には上向き係止片１３と下向き係止片１４が設けられている。この取付金具３は、支持部材１の外面の、四枚の外装材２の隅部同士が突き合わされる位置に固定される。取付金具３の下方には二つの外装材２が互いに横方向に突き合わされた状態で配置され、この各外装材２の実部８に下向き係止片１４が嵌合することで、この下方の二つの外装材２が固定される。また、取付金具３の上方には二つの外装材２が、互いに横方向に突き合わされると共に、前記下方の外装材２と上下方向に突き合わされた状態で配置され、この上側の各外装材２の溝部１０に上向き係止片１３が嵌合することで、この上方の二つの外装材２が固定される。
【０００８】
また、最も下方に配置される外装材２の下端部はスタータ金具１５にて支持部材１に固定されている。スタータ金具１５は支持部材１の下端に固着具２２にて固定されている。このスタータ金具１５は上向き係止片１３を具備し、この上向き係止片１３を最も下方に配置されている外装材２の溝部１０に嵌合させることでこの外装材２を支持している。符号１６は水切りを示す。
【特許文献１】特開２０００−６４５５６号公報
【発明の開示】
【発明が解決しようとする課題】
【０００９】
しかし、上記のような従来技術では、外装材２の施工時に高い施工精度が得られない場合、温度や湿度の変化や建物自体の自重などによって建物が変形する場合、外装材２としてセメント系の板材を用い、水和反応が進むことによって外装材２に寸法収縮が生じる場合等には、経年により外装材２同士の横方向の突き合わせ部分に隙間が生じることがある。このような場合、図９中に矢印で示すように、雨水等が前記隙間から外装材２の内側へ浸入してしまい、木製の支持部材１が腐食する等の不具合が発生する。
【００１０】
本発明は上記の点に鑑みて為されたものであり、建物に設けた支持部材に複数の外装材を四辺合決りで接続して敷設するにあたり、外装材同士の横方向の突き合わせ部分から雨水等が浸入しても支持部材の腐食等の不具合が生じないようにすることができる外装材の取付構造を提供することを目的とする。
【課題を解決するための手段】
【００１１】
本発明に係る外装材の取付構造は、建物に設けた支持部材１に複数の外装材２を四辺合決りで接続して敷設する建物の外装材の取付構造であって、前記外装材２をこの外装材２同士が横方向に突き合わされた位置で支持部材１に固定する取付金具３が外装材２と支持部材１との間に設けられ、前記取付金具３と支持部材１との間に水切り部材４が配設され、前記水切り部材４には、外装材２の横方向の突き合わせ位置の両側に配置される水切り手段５が設けられていることを特徴とする。
【００１２】
このため、横方向に隣り合う外装材２同士の突き合わせ部分に隙間が生じ、この隙間から水が浸入しても、この水の進行は水切り部材４の水切り手段５によって阻止されて、支持部材１に到達しなくなる。
【００１３】
また、上記水切り部材４に、両側の水切り手段５の間で取付金具３側へ向けて突出する上下方向の水切りリブ６が形成されていることが好ましい。この場合、水切りリブ６によって水切り部材４における水の横方向の移動が阻害され、水が支持部材１に到達することを更に確実に防止することができる。
【００１４】
また、上記取付金具３及び水切り部材４を貫通すると共に支持部材１に打入される固着具２２にて、前記取付金具３及び水切り部材４が支持部材１に固定され、前記水切り部材４に、前記固着具２２の配置位置の上方で取付金具３側へ向けて突出するガイドリブ７が形成されていることも好ましい。この場合、水切り部材４の外面を下方に流下する水の進路が、ガイドリブ７によって固着具２２の配置位置の両側へガイドされることとなり、固着具２２の配置位置において水が水切り部材２から支持部材１側へ浸入することを防止することができる。
【発明の効果】
【００１５】
本発明によれば、外装材の施工時に高い施工精度が得られない場合、温度や湿度の変化や建物自体の自重などによって建物が変形する場合、外装材としてセメント系の板材を用いている場合に水和反応が進むことによって外装材に寸法収縮が生じる場合等に、外装材同士の横方向の突き合わせ部分に隙間が生じても、この隙間から浸入した雨水等が下地部材にまで到達することを防止することができ、木製の下地部材に腐食が生じる等の不具合が発生することを防止することができるものである。
【発明を実施するための最良の形態】
【００１６】
以下、本発明を実施するための最良の形態を説明する。
【００１７】
図５（ａ）〜（ｃ）に示すように、外装材２は略平板状の矩形状の壁パネルとして形成されており、その表面は多数枚のタイルを張り付けたような外観であってもよい。外装材２は例えばセメントを主成分とする窯業系材料で形成することができる。外装材２の上端と一方の側端には実部８が突設されていると共に外装材２の下端と他方の側端には覆い部９が突設されている。また、外装材２の下部には覆い部９の後側において溝部１０が横方向の全長に亘って設けられている。
【００１８】
取付金具３は厚み１．２ｍｍ程度の金属板を曲げ加工などすることによって形成することができ、この金属板としては耐食性の高い亜鉛アルミニウムマグネシウム合金メッキ鋼板などを用いることができる。図６（ａ）〜（ｃ）に示すように、取付金具３の表面の略中央部には一対の上向き係止片１３が横方向に並んで突設されている。また、取付金具３の表面の両側には一対の下向き係止片１４が横方向に並んで突設されている。また、取付金具３の表面の略中央下部には位置決め片１７が突設されている。この位置決め片１７は上向き係止片１３及び下向き係止片１４の下方に設けられ、且つこの位置決め係止片１７の両側にそれぞれ上向き係止片１３及び下向き係止片１４が一つずつ設けられている。また、取付金具３の上向き係止片１３及び下向き係止片１４よりも上部は固定片１８として形成されており、この固定片１８には複数の取付孔１９が、横方向に並んで設けられている。図示の例では固定片１８の中央部と、この固定片１８の両側部とにそれぞれ取付孔１９が設けられており、合計三個の取付孔１９が設けられている。さらに、取付金具３の両側部には表面側に向かって突出する支持部２０が設けられている。
【００１９】
水切り部材４は取付金具３と同様の薄板の金属板にて形成することができる。図７に示すように、水切り部材４は上下方向に長尺に形成され、横方向（左右方向）の幅寸法は取付金具３の幅寸法よりも大きく形成されている。水切り部材４の幅方向の両端部には水切り手段５として水切り片５ａが設けられている。水切り片５ａは水切り部材４の両端部を一面側へ鋭角に折り返し成形することで形成される。
【００２０】
また、水切り部材４には、水切りリブ６が任意に設けられる。水切りリブ６は水切り部材４の外面からその一面側に突出するように設けられる。図示の例では、上下方向に長尺な二本の直線状の水切りリブ６が設けられている。この水切りリブ６は両側の水切り片５ａの間で間隔をあけて設けられている。この水切りリブ６は水切り部材４に曲げ加工を施すなどして形成することができる。この水切りリブ６は、水切り部材４の外面側に上記取付金具３を配置した場合に、各水切りリブ６の両側にそれぞれ取付金具３５の取付孔１９が配置されるような位置に形成される。
【００２１】
また、水切り部材４にはガイドリブ７を設けても良い。ガイドリブ７は、上記のように水切りリブ６を設ける場合には、水切り部材４における水切りリブ６間に挟まれた領域２１と、水切りリブ６と水切り片５ａとに挟まれた領域２１とに、それぞれ形成される。ガイドリブ７は、前記各領域２１に上下方向に間隔をあけて複数個設けられる。このガイドリブ７は正面視逆Ｖ字状に形成されている。各ガイドリブ７の側端部と水切りリブ６又は水切り片５ａとの間には、隙間が設けられる。このようなガイドリブ７は水切り部材４にプレス加工を施すなどして一面側に膨出させて形成することができる。
【００２２】
上記のような支持部材１、外装材２、取付金具３及び水切り部材４を用いて、図１〜４に示すような外装材の取付構造を構成することができる。
【００２３】
図示のように建物に外装材２を敷設するにあたっては、まず建物躯体１１（図示では柱１１ａ、土台１１ｂで構成される軸組）に、上下方向に長い複数の支持部材１を横方向に並べて敷設する。建物躯体１１の外面側には防水シート１２を配置しておき、建物躯体１１と支持部材１との間に防水シート１２が介在するようにする。また、支持部材１の下端部には、水切り１６を設ける。水切り１６は支持部材１と建物躯体１１との間に配置されて固定される固定片１６ａ、固定片１６ａの下端から斜め下方に向けて延出された延出片１６ｂ、及び延出片１６ｂの先端から下方に垂下する下片１６ｃにて構成されている。
【００２４】
上記複数の支持部材１のうち、外装材２の左右方向の突き合わせ部分が配置されるものの外面に、水切り部材４を配置すると共に、スタータ金具１５を取り付ける。スタータ金具１５は前記外装材２の下端において水切り部材４の外面側に配置される。このスタータ金具１５と水切り部材４にビス等の固着具２２を貫通させると共にこの固着具２２を支持部材１に打入することにより、スタータ金具１５が取り付けられる。
【００２５】
次に、スタータ金具１５に外装材２を上方から近づけ、外装材２の下端の溝部１０にスタータ金具１５の上向き係止片１３を嵌合させることで、外装材２を取り付ける。外装材２は横方向の端部を互いに突き合わせながら横方向に複数敷設される。このとき、隣り合う外装材２の一方の実部８と他方の覆い部９とが凹凸嵌合することで、この外装材２同士が接続される。
【００２６】
次に、上記敷設されて外装材２の突き合わせ部分の上方から取付金具３を近づけ、この取付金具３の位置決め片１７を外装材２の裏側から外装材２同士の突き合わせ部分の間に差し入れると共に、各外装材２の上端の実部８に一対の下向き係止片１４をそれぞれ嵌合させる。これにより、取付金具３は水切り部材４と外装材２との間に配置される。取付金具３の固定片は外装材２の上端から上方に突出した状態となる。
【００２７】
このとき、水切り部材４の両側の各水切り片５ａが、取付金具３の両側方にそれぞれ配置される。また、水切りリブ６を設ける場合には、取付金具３の裏面が水切りリブ６に当接するように配置される。また、取付金具３の複数の取付孔１９は、水切り部材４における水切り片５ａ及び水切りリブ６にて挟まれた各領域２１の外面側にそれぞれ配置され、この各取付孔１９の配置位置の上方にガイドリブ７が配置されることとなる。また、外装材２の裏面には支持部２０の表面が当接する。
【００２８】
次に、取付金具３の固定片１８に設けられた取付孔１９にビス等の固着具２２を挿入して貫通させ、この固着具２２を支持部材１に打入する。このとき固着具２２は水切り部材４を打ち抜いて貫通する。これにより、取付金具３及び水切り部材４が支持部材１に固定され、取付金具３により各外装材２が固定される。
【００２９】
取付金具３の固定に利用される取付孔１９は、複数の取付孔１９のうちいずれかであれば良い。ここで、外装材２と支持部材１との間に横方向の位置ずれが生じると、取付孔１９の配置位置が支持部材１の位置とずれることもあり得るが、本実施形態では取付金具３に複数の取付孔１９が横方向に並んで設けられているので、支持部材１の配置位置と合致する位置にある取付孔１９を適宜選択して利用することができる。例えば図示の例では固定片１８の中央部の取付孔１９を利用して固着具２２を取り付けているが、外装材２と支持部材１との間に横方向の位置ずれが生じて中央部の取付孔１９を通じて固着具１９を支持部材８に打入できない場合は、両側部のいずれかの取付孔１９を利用して固着具１９を取り付けることができる。
【００３０】
次に、上記固定された外装材２の上方に、別の外装材２を複数枚配置すると共に、この外装材２同士を横方向の端部を互いに突き合わせながら横方向に敷設する。このとき、横方向に隣り合う外装材２の一方の実部８と他方の覆い部９とが凹凸嵌合することで、この外装材２同士が接続される。また上下に隣り合う外装材２は、下方の外装材２の上端の実部８と上方の外装材２の上端の覆い部９とが凹凸嵌合することにより接続される。
【００３１】
このとき、上方の外装材２の横方向の突き合わせ部分が、取付金具３の配置位置に配置されるようにし、各外装材２の下端の溝部１０に一対の上向き係止片１３をそれぞれ嵌合させる。これにより、取付金具３にて各外装材２を支持する
これにより、取付金具３は、四枚の外装材２の隅部同士が突き合わされる位置に固定される。取付金具３の下方には二つの外装材２が互いに横方向に突き合わされた状態で配置され、この各外装材２の実部８にそれぞれ下向き係止片１４が嵌合することで、この下方の二つの外装材２が固定される。また、取付金具３の上方には二つの外装材２が、互いに横方向に突き合わされると共に、前記下方の外装材２と上下方向に突き合わされた状態で配置され、この上側の各外装材２の溝部１０にそれぞれ上向き係止片１３が嵌合することで、この上方の二つの外装材２が固定される。
【００３２】
このような動作を繰り返し行うことにより、建物に設けた支持部材１に複数の外装材２を、四辺合決りで接続して敷設することができる。
【００３３】
このようにして構成される外装材の取付構造では、図３に示すように、横方向に隣り合う外装材２同士の隙間に水が浸入し、この水が取付金具３を伝って支持部材１側へ向かっても、この水の進行は、水切り部材４の外面へ到達した後、水切り片５ａによって阻止される。この水は水切り部材４の外面を伝って下方へ流下し、外装材２の下端の水切り１６を伝って屋外へ排出されることとなる。このため、支持部材１へ水が到達することを防止することができる。図３中には水の進行方向を矢印で示している。尚、この図３中には水切りリブ６及びガイドリブ７は示していない。
【００３４】
また、上記のように水切りリブ６を設けていると、水切り部材４の外面における水の横方向の移動が更に阻害されて、この水が支持部材１へ更に到達しにくくなる。
【００３５】
また、上記のようにガイドリブ７を設けていると、水切り部材４の外面を流下する水の進行が、前記ガイドリブ７によってこのガイドリブ７の両側方へそれぞれガイドされて、各ガイドリブ７が設けられている領域２１では、主にこの領域２１の両側部で水が流下することとなる。このため、前記領域２１に取付金具３の固着具２２が打ち込まれていても、水切り部材４の外面では前記固着具２２の配置位置を避けて水が流下することとなる。このため、固着具２２の配置位置に水が到達することが防止され、水切り部材４における固着具２２の貫通位置から水が支持部材１側へ浸入することが防止される。
【００３６】
ここで、取付金具３における複数の取付孔１９は、上記の通り水切り部材４の各領域２１の外面側にそれぞれ配置され、前記各領域２１にそれぞれガイドリブ７が設けられているため、いずれの取付孔１９を利用して取付金具３を支持部材１に固定しても、固着具２２の上方にはガイドリブ７が位置することとなり、固着具６の配置位置において支持部材１まで水が浸入することが防止される。
【図面の簡単な説明】
【００３７】
【図１】本発明の実施の形態の一例を示す一部破断した斜視図である。
【図２】(ａ)及び（ｂ）は同上の側方から視た一部の断面図である。
【図３】同上の上方から視た一部の概略断面図である。
【図４】同上の全体構成を示す正面図である。
【図５】同上の実施の形態における外装材を示すものであり、（ａ）は正面図、（ｂ）は底面図、（ｃ）は側面図である。
【図６】同上の実施の形態における取付金具を示すものであり、（ａ）は正面図、（ｂ）は側面図、（ｃ）は底面図である。
【図７】同上の実施の形態における水切り部材を示すものであり、（ａ）は平面図、（ｂ）は正面図である。
【図８】従来技術の構成の一例を示すものであり、（ａ）及び（ｂ）は側方から視た一部の断面図である。
【図９】同上の上方から視た一部の概略断面図である。
【図１０】同上の全体構成を示す正面図である。
【符号の説明】
【００３８】
１  支持部材
２  外装材
３  取付金具
４  水切り部材
５  水切り手段
６  水切りリブ
７  ガイドリブ
２２  固着具
【図１】
0004778347.tif 000002
【図２】
0004778347.tif 000003
【図３】
0004778347.tif 000004
【図４】
0004778347.tif 000005
【図５】
0004778347.tif 000006
【図６】
0004778347.tif 000007
【図７】
0004778347.tif 000008
【図８】
0004778347.tif 000009
【図９】
0004778347.tif 000010
【図１０】
0004778347.tif 000011